(57)【要約】【課題】  情報処理装置から複合装置へのカバーページのみのファクス送信指示を可能としてファクス送信方法、そのプログラムおよび情報処理装置を提供する。【解決手段】  情報処理装置１０は、ファクスドライバ１２および文書作成用のアプリケーションソフトウェア１３を内蔵する。ファクスドライバ１２はＦＡＸ送信時に起動し、ＬＡＮ２を介して複合装置２０を制御し、ＦＡＸ送信を行わせる。ファクスドライバ１２は、起動すると設定ウィンドウを開き、このウィンドウから送信シートを設定するウィンドウを開くことができ、このウィンドウ上で送信シートのみの送信を指定すると、複合装置２０から送信シートのみが送信される。【選択図】    図１
2006229879.tif 000002
【特許請求の範囲】
【請求項１】
情報処理装置が保有する文書に送信先、送信元等が記入されたカバーページを付加してファクス機能を有する複合装置にファクス送信指示を行う方法において、
前記カバーページのみの送信が指定されたとき、前記カバーページのみをファクス送信するように前記複合装置に指示することを特徴とするファクス送信指示方法。
【請求項２】
情報処理装置が保有する文書に送信先、送信元等が記入されたカバーページを付加してファクス機能を有する複合装置にファクス送信指示を行う方法において、
前記情報処理装置の表示画面に送信先、送信態様を含むファクス送信条件を設定する設定画面を表示し、
前記設定画面において前記カバーページのみの送信態様が指定されたとき、前記カバーページのみをファクス送信するように前記複合装置に指示することを特徴とするファクス送信指示方法。
【請求項３】
前記設定画面は、前記送信態様として、前記文書と前記カバーページ、前記カバーページのみ、あるいは前記文書のみをファクス送信することを選択可能としたことを特徴とする請求項２に記載のファクス送信指示方法。
【請求項４】
請求項１、２又は３に記載のファクス送信指示方法をコンピュータに実行させるためのプログラム。
【請求項５】
前記プログラムは、前記情報処理装置内に格納されることを特徴とする請求項４に記載のプログラム。
【請求項６】
自己が保有する文書に送信先、送信元等が記入されたカバーページを付加してファクス機能を有する複合装置にファクス送信指示を行う情報処理装置において、
前記カバーページにコメントを記入する入力部と、
送信態様として、前記文書と前記カバーページ、前記カバーページのみ、あるいは前記文書のみをファクス送信することを選択する選択部と、
前記選択部によって選択された前記送信態様に応じてファクス送信データを生成し、前記複合装置に送信する送信部とを備えたことを特徴とする情報処理装置。
【発明の詳細な説明】
【技術分野】
【０００１】
本発明は、パーソナルコンピュータなどの情報処理装置が保有する文書に送信先、送信元等が記入されたカバーページを付加してファクス機能を有する複合装置にファクス送信指示を行うファクス送信指示方法、そのプログラムおよび情報処理装置に関する。
【背景技術】
【０００２】
画像形成装置、例えば、コピー機能、ファクス機能、スキャナ機能等を備える複合装置は、パーソナルコンピュータ（ＰＣ）に代表される情報処理装置からファクス送信文書の入力、印刷、スキャナ等の操作を行うことができる。
【０００３】
一般に、ＦＡＸ送信においては、情報処理装置内の文書作成アプリケーションソフトウェアにより、予め送信したい文書が作成されており、この文書に送信シート（カバーページとも言う。）を添付して送信する。
【０００４】
図８は、情報処理装置に画像形成装置としての複合装置を接続して構成された情報処理システムにおいて、情報処理装置に表示された送信シートの設定画面を示す。この送信シート画面５０には、送信シートのテンプレートを選択するための送信シートチェック欄５１と、送信シートの縮小画像を表示する送信シート表示部５２と、発信元を設定するための発信元設定ボタン５３と、発信元表示欄５４と、言語設定欄５５と、ファクス番号に指定した外線／内線発信番号を付けて印字するか否かを指定するための外線チェック欄５６と、送信シート設定の終了時にクリックされるＯＫボタン５７と、入力内容等をキャンセルするためのキャンセルボタン５８と、テスト印刷を行う際に使用されるテスト印刷ボタン５９と、設定内容を標準状態に戻す際にクリックされる標準復帰ボタン６０と、操作等がわからなくなったときにクリックされるヘルプボタン６１と、送信先の名称／敬称等を選択するための送信先欄６２と、送信枚数を指定するための送信枚数設定欄６３と、送信シートに記入するコメントを表示するコメント欄６４と、コメントに対するタイトルを表示するタイトル欄６５が表示される。
【０００５】
送信に先立ち、ユーザは、情報処理装置のディスプレィに図７の送信シート画面５０を表示させる。ここでは、送信シートチェック欄５１で標準の送信シートが選択され、送信シート表示部５２には、標準の送信シートが表示されている。
【０００６】
また、発信元表示欄５４、言語設定欄５５、外線チェック欄５６、送信先欄６２、および送信枚数設定欄６３には、所望のまたは最適な設定がなされている。更に、コメント欄６４、タイトル欄６５には、ユーザによって作成済みのコメントおよびタイトルが入力されている。
【０００７】
ここで、送信シート表示部５２に表示されている送信シートを紙に印刷して確認したい場合、テスト印刷ボタン５９をマウスでクリックすると、複合装置２０が送信シートをプリントアウトする。
【０００８】
ユーザは、送信シート画面５０の内容を満足できた場合、ＯＫボタン５７をクリックする。この操作により、送信シートおよび文書のデータが、情報処理装置に内蔵のファクスドライバ等によって処理された送信用データが複合装置へ伝送され、送信シートを添付した電子文書（送信文書）が予め設定した宛先へＦＡＸ送信される。
【０００９】
ファクスドライバは、プリンタードライバの技術領域から派生した一形態であり、宛先のファクス番号の入力をユーザから受け付けるとともに、アプリケーションソフトウェアで作成した電子文書をレンダリングしてメモリヘスプールすることが、基本的な機能である。更に、ファクスドライバは、宛先の名前や宛先へ伝えるコメントなどの文字情報をユーザから受け付け、それら文字情報を印字する送信シートを送信文書の先頭に付加することができる機能を持つものが多い。
【００１０】
上記のような送信シートを有する送信文書の先頭に付加することができる機能を持つ複合装置として、例えば、１つの電子文書を複数の宛先へ同時にファクス送信する際に、宛先毎に送信シートを別々に生成する手段と、上記送信シートを送信するデータに付加するか否かを設定する手段を備え、カバーページの内容を送信先ごとに変更する操作が容易に行えるようにしたものが知られている（例えば、特許文献１参照。）。
【特許文献１】特開２０００−２２４３５０号公報（［００５０］〜［００６１］、図６〜図１１）
【発明の開示】
【発明が解決しようとする課題】
【００１１】
しかし、従来の情報処理装置は、ファクスドライバが生成した送信シートを、必ず送信文書と対にして複合装置からファクス送信することを前提にして設計されており、文書を送信せずに送信シートのみを送信するという機能は備えていない。
【００１２】
しかしながら、情報処理装置を利用して送信シートを単独でファクス送信したいケースは存在する。
【００１３】
その第１の例は、はじめからファクス送信したい文書が電子文書ではなく、紙に印刷された文書のケースである。この場合、従来は、情報処理装置を使用せず、手書きで紙の送信シートを作成し、この送信シートを複合装置側で文書と共にスキャンしてファクス送信するなどで対処していた。通常、多くの職場では、既に印刷された送信シートのテンプレートが複合装置の近くに置いてあるため、それを利用することで送信シート作成の負担は多少軽減されてはいるが、それでも、手書きは見栄えも悪く修正も容易ではない。これが、複数の宛先へ送信しなければならない場合には、負担は更に増加する。
【００１４】
このような場合、ファクスドライバを用いて送信シートを単独でファクス送信しておき、その直後に、紙に記載された文書を複合装置側のスキャナから入力してファクス送信することができれば便利である。
【００１５】
第２の例は、宛先に伝えたい情報量が少なく、わざわざ情報処理装置で文書を作成することなく送信シートのコメント欄に用件を記載するだけで済んでしまうようなケースである。この場合も、従来は上記第１の例と同様に、手書きで紙の送信シートを作成して複合装置でスキャンし、ファクス送信することで対処することが多かった。その理由は、ユーザが、電子文書の一つとして送信シートを新たに作成することを考えることはあっても、そのデザインやレイアウトを最初から設計していくことは煩わしいからである。
【００１６】
この場合も、ファクスドライバが生成する送信シートだけをファクス送信できれば、ファクスドライバが予め提供するデザインとレイアウトをそのまま利用できることになる。
【００１７】
従って、本発明の目的は、情報処理装置から複合装置にカバーページのみのファクス送信指示を可能とするファクス送信指示方法、そのプログラムおよび情報処理装置を提供することにある。
【課題を解決するための手段】
【００１８】
本発明は、上記目的を達成するため、情報処理装置が保有する文書に送信先、送信元等が記入されたカバーページを付加してファクス機能を有する複合装置にファクス送信指示を行う方法において、前記カバーページのみの送信が指定されたとき、前記カバーページのみをファクス送信するように前記複合装置に指示することを特徴とするファクス送信指示方法を提供する。
【００１９】
上記ファクス送信方法によれば、カバーページのみのファクス送信指定を行うことができる。
【００２０】
本発明は、上記目的を達成するため、情報処理装置が保有する文書に送信先、送信元等が記入されたカバーページを付加してファクス機能を有する複合装置にファクス送信指示を行う方法において、前記情報処理装置の表示画面に送信先、送信態様を含むファクス送信条件を設定する設定画面を表示し、前記設定画面において前記カバーページのみの送信態様が指定されたとき、前記カバーページのみをファクス送信するように前記複合装置に指示することを特徴とするファクス送信指示方法を提供する。
【００２１】
上記ファクス送信方法によれば、表示画面に表示された設定画面上でカバーページのみのファクス送信指定を行うことができる。
【００２２】
上記設定画面は、送信態様として、文書とカバーページ、カバーページのみ、あるいは文書のみをファクス送信することを選択可能とした構成としてもよい。
【００２３】
本発明は、上記目的を達成するため、上記ファクス送信方法をコンピュータに実行させるためのプログラムを提供する。
【００２４】
上記プログラムは、情報処理装置内に格納される構成とするのが好ましい。
【００２５】
本発明は、上記目的を達成するため、自己が保有する文書に送信先、送信元等が記入されたカバーページを付加してファクス機能を有する複合装置にファクス送信指示を行う情報処理装置において、前記カバーページにコメントを記入する入力部と、送信態様として、前記文書と前記カバーページ、前記カバーページのみ、あるいは前記文書のみをファクス送信することを選択する選択部と、前記選択部によって選択された前記送信態様に応じてファクス送信データを生成し、前記複合装置に送信する送信部とを備えたことを特徴とする情報処理装置を提供する。
【００２６】
上記情報処理装置によれば、文書に記入すべき内容をコメントとしてカバーページに記入し、カバーページのみのファクス送信指定を行うことができる。
【発明の効果】
【００２７】
本発明によれば、情報処理装置から複合装置にカバーページのみのファクス送信指示が可能となる。
【発明を実施するための最良の形態】
【００２８】
[第１の実施の形態]（情報処理システムの構成）
図１は、本発明の第１の実施の形態に係る情報処理システムを示す。この情報処理システム１は、パーソナルコンピュータなどの情報処理装置１０と、ＬＡＮ２を介して情報処理装置１０に接続されたコピー機能、プリンタ機能、ファクス機能、スキャナ機能等を有する複合装置２０とを備える。
【００２９】
情報処理装置１０は、ユーザからのキーボードあるいはマウス操作に基づいてファクス送信の条件を設定するファクス条件設定部１１と、電子文書等をファクス送信するためのファクスドライバ１２と、Microsoft Word（登録商標）等による文書作成用のアプリケーションソフトウェア１３と、ファクスドライバ１２によりアプリケーションソフトウェア１３で作成した文書、およびカバーページとしての送信シートを複合装置２０へＦＡＸ送信データとして出力するウィンドウシステム１４とを備える。
【００３０】
ウィンドウシステム１４は、描画処理を行うグラフィックエンジン１４ａと、生成された送信データをスプーリングするスプーラ１４ｂとを備える。
【００３１】
複合装置２０は、情報処理装置１０からのジョブを解析するジョブ解析部２１と、ＦＡＸジョブのデータを解釈して各ページ毎の送信データを生成するデコンポーザ２２と、送信データをラスターデータに展開するイメージャ２３と、イメージャ２３による送信データを電話回線３へ送出するＦＡＸ部２４とを備える。
【００３２】
なお、図示を省略しているが、情報処理装置１０および複合装置２０は、ＣＰＵ、ＲＯＭ、ＲＡＭ等を含むプロセッサを備え、上記装置内の各部に処理を実行させている。
【００３３】
（情報処理システムの動作）
次に、図１〜図４を参照して、宛先の設定から送信開始までの操作を以下に説明する。まず、ユーザは、情報処理装置１０において、アプリケーションソフトウェア１３を起動し、送信を希望する「文書１」を作成する。その後、ＯＳ（Operating System）或いはアプリケーションが提供するプリンタの選択ウィンドウにおいて、ファクスドライバ１２を選択する。
【００３４】
次に、ユーザからのキーボードあるいはマウス操作に基づいてファクス条件設定部１１によりファクス条件が設定され、そのファクス条件に基づいてファクス送信設定／確認画面が情報処理装置１０のディスプレィに表示される。
【００３５】
図２は、そのファクス送信設定／確認画面を示す。このファクス送信設定／確認画面３０は、情報処理装置１０のアプリケーションソフトウェア１３で作成した「文書１」を、どの宛先へ送信するかを設定し、送信を実行させるために用いる。
【００３６】
ファクス送信設定／確認画面３０には、送信先の宛先番号、名称、および所属を一覧表示する宛先表示欄３１と、宛先表示欄３１に表示されている内容を変更または修正するための編集ボタン３２と、宛先表示欄３１に表示されている宛先を削除する際に使用される削除ボタン３３と、キーボードから入力した宛先を表示するユーザ入力欄３４と、ユーザ入力欄３４に表示された宛先を宛先表示欄３１に追加するための一覧追加ボタン３５と、ＦＡＸ送信データに送信シートを付加するか否かを指定するためのチェック欄３６と、送信シートのデザイン等を設定するための送信シート設定ボタン３７と、送信時刻を指定する際にチェックされる時刻指定チェック欄３８と、ＦＡＸ送信を実行するための送信開始ボタン３９と、送信開始後に送信を中止したいときに用いられる送信中止ボタン４０と、送信する送信シートおよび文書等の送信画質を指定するための画質設定欄４１と、宛先表ファイルを参照したいときに用いられるファイル参照ボタン４２と、宛先表ファイルを参照して選んだ宛先を宛先表示欄３１に追加するための宛先追加ボタン４３と、ヘルプボタン４４が表示される。
【００３７】
画面３０の宛先表示欄３１には、１乃至複数の送信先が一覧形式で表示されている。ユーザは、画面３０の宛先表示欄３１に所望の送信先が存在するか否かを確認する。宛先が、宛先表示欄３１に表示されている内容でよい場合、マウスにより画質設定欄４１をクリックし、画質設定欄４１を開き、所望の画質を選択する。
【００３８】
一方、図２において、画面３０の宛先表示欄３１に所望の送信先が存在しない場合、ユーザは、マウスでユーザ入力欄３４の入力したい部分をクリックし、図示しないキーボードを操作して、宛先名、所属、電話番号等を入力する。次に、一覧追加ボタン３５をクリックし、ユーザ入力欄３４の内容を宛先表示欄３１に追加する。なお、宛先表示欄３１に不要な宛先が入っている場合には、これを削除ボタン３３を操作して除去する。
【００３９】
（１）送信シートと電子文書の送信
ここで、ユーザは、送信シートを電子文書に付加してＦＡＸを送信したい場合、チェック欄３６を確認する。チェック欄３６にチェックが付いていない場合、ユーザは、情報処理装置１０のマウスを操作してチェックを入れる。次に、ユーザは、マウスのポインタを送信開始ボタン３９に合わせてクリックし、情報処理装置１０のファクスドライバ１２およびウィンドウシステム１４を起動し、複合装置２０にＦＡＸ送信を指示する。
【００４０】
この指示に応じて、ファクス条件の設定内容は、ファクスドライバ１２によって画像情報を伴わないＪＣＬ（Job Control Language）や、画像情報を伴うＰＤＬ（Page Description Language）に変換される。また、宛先のファクス番号など画像形成に無関係な設定内容はＪＣＬに変換され、更に、送信シートなどの画像形成に関する設定内容はＰＤＬに変換される。
【００４１】
また、アプリケーションソフトウェア１３により作成した電子文書の情報は、ウィンドウシステム１４のグラフィックエンジン１４ａを経由してファクスドライバ１２に取り込まれ、ファクスドライバ１２でレンダリングされ、ＰＤＬに変換される。
【００４２】
ファクスドライバ１２は、ＪＣＬとＰＤＬをメモリヘスプールし、それらをウィンドウシステム１４のスプーラ１４ｂを経由して複合装置２０へ出力する。
【００４３】
情報処理装置１０から複合装置２０に入力された情報は、まず、ジョブ解析部２１でＪＣＬが解析され、プリントジョブかＦＡＸジョブかが判断される。ＦＡＸジョブだと判断されれば、ＪＣＬに含まれる情報はＦＡＸ部２４へ送られる。更に、ＰＤＬに含まれる情報は、デコンポーザ２２とイメージャ２３を経由してラスタデータに変換された後、ＦＡＸ部２４へ送られる。ＦＡＸ部２４では、宛先の相手側ＦＡＸ機の受信能力に応じて前述のラスタデータに解像度変換を施した送信イメージを生成し、これを指定された宛先へ、電話回線３を通して送信する。
【００４４】
（２）送信シートのみの送信
次に、送信シートのみをＦＡＸ送信する方法について説明する。送信希望の電子文書である「文書１」に送信シートを付加しない場合、ユーザは、マウスを操作してチェック欄３６のクリックを外し、ついで、送信シート設定ボタン３７をクリックし、送信シート画面をディスプレィに表示させる。
【００４５】
図３は、その送信シート画面を示す。この送信シート画面５０には、図８に示した内容、すなわち、送信シートチェック欄５１、送信シート表示部５２、発信元設定ボタン５３、発信元表示欄５４、言語設定欄５５、外線チェック欄５６、ＯＫボタン５７、キャンセルボタン５８、テスト印刷ボタン５９、標準復帰ボタン６０、ヘルプボタン６１、送信先欄６２、送信枚数設定欄６３、コメント欄６４、およびタイトル欄６５が表示されるほか、送信シートのみをＦＡＸ送信したいときにクリックされる送信シート単独送信ボタン６６が表示される。
【００４６】
図３において、まず、ユーザは、送信シートのテンプレートを送信シートチェック欄５１をクリックして選択する。この選択に応じて、送信シート表示部５２には、送信シートが表示される。
【００４７】
次に、ユーザは、発信元表示欄５４、言語設定欄５５、外線チェック欄５６を確認し、修正や再設定が必要であれば、修正や再設定を実施する。例えば、情報処理装置１０を数人で使用している場合、発信元の設定が変更されていることがある。このような場合、発信元設定ボタン５３をマウスでクリックすると、発信元設定画面が情報処理装置１０のディスプレィに表示される。
【００４８】
図４は、その発信元設定画面を示す。この発信元設定画面７０には、発信元選択部７１と、発信元表示部７２と、発信元表示部７２の内容を発信元として登録するための登録ボタン７３と、発信元設定画面７０の各入力欄を空白にし、新規の発信元を作成できるようにする新規ボタン７４と、発信元設定の終了時にクリックされるＯＫボタン７５と、入力内容等をキャンセルするためのキャンセルボタン７６と、設定内容を標準状態に戻す際にクリックされる標準復帰ボタン７７と、編集時にクリックされる編集ボタン７８と、ヘルプボタン７９が表示される。
【００４９】
図４において、編集ボタン７８をクリックすれば、発信元を選択でき、新規ボタン７４をクリックすれば、発信元表示部７２の各欄にキーボードから文字や番号を入力することができる。入力後、ＯＫボタン７５をクリックすると、画面は図３の送信シート画面５０に戻される。
【００５０】
次に、ユーザは、図３のマウスでタイトル欄６５をクリックし、キーボード等によりタイトル欄６５にタイトルを入力する。更に、ユーザは、マウスでコメント欄６４をクリックし、キーボード等によりコメント欄６４にコメントを入力する。また、ユーザは、送信枚数設定欄６３をマウスでクリックし、キーボード等により送信枚数を設定する。また、ユーザは、送信先欄６２をマウスでクリックし、キーボードにより敬称等を指定する。次に、ユーザは、必要に応じてテスト印刷ボタン５９をマウスでクリックし、複合装置２０にテスト印刷を実行させる。
【００５１】
送信シートのみを送信するとき、ユーザは、情報処理装置１０のマウスで送信シート単独送信ボタン６６をクリックする。この操作により、情報処理装置１０のディスプレィには、図３の画面に代えて送信先リスト画面が表示される。
【００５２】
図５は、その送信先リスト画面を示す。この送信先リスト画面８０には、送信先リスト表示部８１、確認ボタン８２、および送信ボタン８３が表示される。ユーザは、画面内容を確認し、表示された送信先が正しければ、ユーザは、マウスで確認ボタン８２をクリックする。更に、送信したいタイミングで送信ボタン８３をマウスでクリックする。
【００５３】
送信ボタン８３のクリックにより、ファクスドライバ１２は、アプリケーションソフトウェア１３による文書のレンダリングをせずに、送信シートの描画データのみで構成されるＰＤＬを生成する。ファクスドライバ１２は、そのＰＤＬと上記ＪＣＬをスプーラ１４ｂヘスプールする。これらは、ウィンドウシステム１４のスプーラ１４ｂを経由して複合装置２０へ出力される。こうして宛先へは、アプリケーション１３による文書はファクス送信されず、送信シートのデータのみが複合装置２０からファクス送信される。
【００５４】
複合装置２０では、情報処理装置１０からのジョブを解析し、ＦＡＸ送信であれば、上記したように、デコンポーザ２２、イメージャ２３、およびＦＡＸ部２４を動作させ、電話回線３へファクシミリ画像として送信シートを送信する。
【００５５】
図６は、ファクスドライバ１２が生成する送信シートの一例を示す。図６に示す送信シート９０のデザインおよびレイアウトは、ファクスドライバ１２によって提供される。送信シート９０のテンプレートは、複数が用意されており、ユーザは好みの１つを選択することができる。
【００５６】
この送信シート９０には、宛先の名前、宛先の所属、宛先のファクス番号、発信元の名前、発信元の所属／住所、発信元の電話番号、発信元のファクス番号、タイトル、コメント、送信枚数等が記載されている。
【００５７】
なお、ここでは示していないが、より高機能なファクスドライバの中には、デザインとレイアウトを複数のテンプレートからユーザが選択できる機能を提供しているものも存在する。
【００５８】
（第１の実施の形態の効果）
この第１の実施の形態によれば、下記の効果を奏する。
（イ）従来、紙に手書きで送信シートを作成することを余儀なくされていたケースでも、情報処理装置を利用した見栄えの良い送信シートを簡易にファクス送信することができる。
（ロ）単独で送信し、または送信文書に添付される送信シート９０のデザインとレイアウトは、ファクスドライバ１２によって提供されているため、ユーザは、デザインとレイアウトを最初から設計する必要がない。
【００５９】
[第２の実施の形態]
図７は、本発明の第２の実施の形態に係るファクス送信設定／確認画面を示す。図２のファクス送信設定／確認画面３０では、送信シートを付加する場合のチェック欄３６を設けたが、この第２の実施の形態では、それを設ける代わりに、送信シートのみを送信するモードと、送信シートと電子文書を送信するモードと、電子文書のみを送信するモードを選択する送信モード選択欄４４を設けたものである。ファクスドライバ１２は、送信モード選択欄４４にて選択されたモードでデータを送信する。
【００６０】
この第２の実施の形態によれば、一つの画面上で送信シートのみを送信するモードと、送信シートと電子文書を送信するモードと、電子文書のみを送信するモードを選択することができるので、ユーザの利便性が向上する。
【００６１】
［他の実施の形態］
なお、本発明は、上記実施の形態に限定されず、本発明の技術思想を逸脱あるいは変更しない範囲内で種々な変形が可能である。例えば、上記実施の形態においては、ファクス送信する電子文書は、情報処理装置１０でアプリケーションソフトウェア１３を用いて作成するものとしたが、インターネット、磁気ディスク、ＵＳＢやＬＡＮ接続のデバイス等を介して外部から取得してもよい。
【図面の簡単な説明】
【００６２】
【図１】本発明の第１の実施の形態に係る情報処理システムを示すブロック図である。
【図２】第１の実施の形態に係るファクス送信設定／確認画面を示す図である。
【図３】送信シート画面を示す図である。
【図４】発信元設定画面を示す図である。
【図５】送信先リスト画面を示す図である。
【図６】ファクスドライバが生成する送信シートの一例を示す画面図である。
【図７】本発明の第２の実施の形態に係るファクス送信設定／確認画面を示す図である。
【図８】従来のファクス送信設定／確認画面を示す図である。
【符号の説明】
【００６３】
１  情報処理システム
２  ＬＡＮ
３  電話回線
１０  情報処理装置
１１  ファクス条件設定部
１２  ファクスドライバ
１３  アプリケーションソフトウェア
１４  ウィンドウシステム
１４ａ  グラフィックエンジン
１４ｂ  スプーラ
２０  複合装置
２１  ジョブ解析部
２２  デコンポーザ
２３  イメージャ
２４  ＦＡＸ部
３０  画面
３１  宛先表示欄
３２  編集ボタン
３３  削除ボタン
３４  ユーザ入力欄
３５  一覧追加ボタン
３６  チェック欄
３７  送信シート設定ボタン
３８  時刻指定チェック欄
３９  送信開始ボタン
４０  送信中止ボタン
４１  画質設定欄
４２  ファイル参照ボタン
４３  宛先追加ボタン
４４  ヘルプボタン
５０  送信シート画面
５１  送信シートチェック欄
５２  送信シート表示部
５３  発信元設定ボタン
５４  発信元表示欄
５５  言語設定欄
５６  外線チェック欄
５７  ＯＫボタン
５８  キャンセルボタン
５９  テスト印刷ボタン
６０  標準復帰ボタン
６１  ヘルプボタン
６２  送信先欄
６３  送信枚数設定欄
６４  コメント欄
６５  タイトル欄
６６  送信シート単独送信ボタン
７０  発信元設定画面
７１  発信元選択部
７２  発信元表示部
７３  登録ボタン
７４  新規ボタン
７５  ＯＫボタン
７６  キャンセルボタン
７７  標準復帰ボタン
７８  編集ボタン
７９  ヘルプボタン
８０  画面
８１  送信先リスト表示部
８２  確認ボタン
８３  送信ボタン
９０  送信シート
【図１】
2006229879.tif 000003
【図２】
2006229879.tif 000004
【図３】
2006229879.tif 000005
【図４】
2006229879.tif 000006
【図５】
2006229879.tif 000007
【図６】
2006229879.tif 000008
【図７】
2006229879.tif 000009
【図８】
2006229879.tif 000010